(57)【要約】      （修正有）【課題】より濁りが少ないと同時に、洗剤組成物と汚れたプレートとの間の界面張力を低減する、食器手洗い用液体洗剤組成物を提供する。【解決手段】界面活性剤系を組成物の５重量％〜５０重量％と、４０％〜８６％の加水分解度を有するポリビニルアルコールを組成物の０．０５％〜５．０％含む、食器手洗い用液体洗剤組成物。【選択図】なし【特許請求の範囲】
【請求項１】
食器手洗い用液体洗浄組成物であって、
ａ）前記組成物全体の５重量％〜５０重量％の界面活性剤系と、
ｂ）ポリビニルアルコールであって、前記ポリビニルアルコールは、４０％〜８６％の加水分解度を有し、前記ポリビニルアルコールは、前記組成物の０．０５％〜５．０％の濃度で存在する、ポリビニルアルコールと、を含む、食器手洗い用液体洗浄組成物。
【請求項２】
前記ポリビニルアルコールが、前記組成物の０．１重量％〜３．５重量％の濃度、好ましくは０．５重量％〜２．０重量％の濃度で存在する、請求項１に記載の食器手洗い用液体洗浄組成物。
【請求項３】
前記ポリビニルアルコールが、４５％〜８５％、より好ましくは７０％〜８２％の加水分解度を有する、請求項１又は２に記載の食器手洗い用液体洗浄組成物。
【請求項４】
前記ポリビニルアルコールが、２０℃で脱塩水中４％水溶液として測定したとき、２．０ｍＰａ・ｓ〜１５ｍＰａ・ｓ、好ましくは２．５ｍＰａ・ｓ〜７．５ｍＰａ・ｓ、より好ましくは２．７ｍＰａ・ｓ〜３．５ｍＰａ・ｓの粘度を有し、前記ポリビニルアルコール水溶液の前記粘度は、英国規格ＥＮ  ＩＳＯ  １５０２３−２：２００６付録Ｅブルックフィールド試験法に記載されるように、ＵＬアダプタを備えたブルックフィールドＬＶ型粘度計を使用して測定される、請求項１〜３のいずれか一項に記載の食器手洗い用液体洗浄組成物。
【請求項５】
食器手洗い用液体洗浄組成物が、前記組成物全体の６重量％〜４０重量％、好ましくは１５重量％〜３５重量％の前記界面活性剤系を含む、請求項１〜４のいずれか一項に記載の食器手洗い用液体洗浄組成物。
【請求項６】
前記界面活性剤系が、アニオン性界面活性剤を含み、好ましくはアルキルサルフェート、アルキルアルコキシサルフェート、及びこれらの混合物からなる群から選択されるアルキル硫酸化アニオン性界面活性剤を含む、請求項１〜５のいずれか一項に記載の食器手洗い用液体洗浄組成物。
【請求項７】
前記界面活性剤系が、アルキル硫酸化アニオン性界面活性剤を含み、前記アルキル硫酸化アニオン性界面活性剤が、８〜１８個、好ましくは１０〜１４個、より好ましくは１２〜１４個、最も好ましくは１２〜１３個の炭素原子の平均アルキル鎖長を有する、請求項６に記載の組成物。
【請求項８】
前記アルキル硫酸化アニオン性界面活性剤が、５未満、好ましくは３未満、より好ましくは０．５〜２．０、最も好ましくは０．５〜０．９の平均アルコキシル化度を有する、請求項６又は７に記載の組成物。
【請求項９】
前記アルキル硫酸化アニオン性界面活性剤が、１０％超、好ましくは２０％超、より好ましくは３０％超、さらにより好ましくは３０％〜６０％、最も好ましくは３０％〜５０％の重量平均分岐度を有する、請求項６〜８のいずれか一項に記載の組成物。
【請求項１０】
前記界面活性剤系が、前記界面活性剤系の６０重量％〜９０重量％の前記アニオン性界面活性剤を含む、請求項６又は９に記載の食器手洗い用液体洗浄組成物。
【請求項１１】
前記界面活性剤系が、両性界面活性剤、双性界面活性剤、及びこれらの混合物からなる群から選択される補助界面活性剤を更に含む、請求項６〜１０のいずれか一項に記載の食器手洗い用液体洗浄組成物。
【請求項１２】
前記界面活性剤系が、アミンオキシド界面活性剤から選択される両性界面活性剤を含み、好ましくは前記アミンオキシド界面活性剤が、アルキルジメチルアミンオキシド、アルキルアミドプロピルジメチルアミンオキシド、及びこれらの混合物からなる群から選択される、請求項１１に記載の食器手洗い用液体洗浄組成物。
【請求項１３】
前記アニオン性界面活性剤と前記補助界面活性剤との重量比が、１：１〜８：１、好ましくは２：１〜５：１、より好ましくは２．５：１〜４：１である、請求項１１又は１２に記載の食器手洗い用液体洗浄組成物。
【請求項１４】
請求項１〜１３のいずれか一項に記載の液体洗剤組成物を製造する方法であって、前記界面活性剤系を添加する前に、前記ポリビニルアルコールを水性媒体に添加する工程を含む、方法。
【請求項１５】
液体洗剤組成物を使用して、食器を手洗いするための方法であって、前記組成物が、前記組成物全体の５重量％〜５０％重量の界面活性剤系と、４０％〜８６％の加水分解度を有するポリビニルアルコールとを含み、前記方法が、前記液体洗剤組成物をその未希釈形態で食器と接触させる工程を含む、方法。
【発明の詳細な説明】
【技術分野】
【０００１】
本発明は、食器手洗い用液体洗浄組成物に関する。
【背景技術】
【０００２】
一部の消費者は、食器を希釈された液体洗剤組成物に浸漬することによって洗浄することを好むが、多くの消費者は、未希釈の液体洗剤組成物を食器に直接、又はスポンジなどの用具を介して適用することを好む。直接適用は、より高い濃度の界面活性剤が染みに直接適用されるため、改善された油脂洗浄を提供する。直接適用方法では、消費者は、改善された油脂洗浄を望む。改善された油脂洗浄は、界面活性剤系を操作することによって、又は界面活性剤濃度を増加させることによって達成することができるが、これは液体洗剤組成物の濁りにつながる可能性がある。油脂洗浄を改善する１つの手段は、組成物と汚れた食器類との間の界面張力を低下させることによるものである。したがって、より濁りが少ないと同時に、洗剤組成物と汚れたプレートとの間の界面張力の低減を提供する食器類洗浄用液体洗剤組成物に対する必要性がなおある。
【０００３】
国際公開第２０１２０２２００８号、国際公開第９５３３０２５号、米国特許第５９６８８８８号、及び米国特許出願公開第２００５／０１７０９９０（Ａ１）号は、食器を液体洗剤組成物と非希釈形態で接触させる工程を含む、食器を手洗いするための方法を開示している。
【０００４】
米国特許第３６２９１２２（Ａ）号は、（Ａ）１０００〜４０００の分子量を有する水溶性ポリビニルアルコール７０重量％〜９８重量％と、（Ｂ）脂肪族アルコール、脂肪族カルボン酸及びこれらのアルカリ塩、脂肪族カルボン酸アミド、並びに脂肪族アミンからなる群から選択され、８〜２２個の炭素原子を有する少なくとも１つの脂肪族又は脂肪族脂環式基を有する発泡防止化合物２〜３０重量％とから本質的になる、食器洗浄機用に適合された低発泡性のすすぎ及び洗浄組成物、並びに低発泡性のすすぎ及び洗浄組成物を含有する水溶液に関する。中国特許出願公開第１０７０５７８６１（Ａ）号は、磁器釉薬及びガラス器具用の洗浄調製物に関する。洗浄調製物は、固体酸、炭酸塩及び／又は炭酸水素塩、増粘剤及び／又は安定剤、並びに界面活性剤を含み、消毒剤、芳香剤、脱臭剤、及び分散剤を更に含む。中国特許出願公開第１０４８１８１３４（Ａ）号は、茶渋用洗剤に関する。茶渋用洗剤は、５〜１０重量部の塩化ナトリウム、３〜８重量部のジクロロイソシアヌル酸ナトリウム、７〜１１重量部のラウリルポリオキシエチレンエーテル硫酸ナトリウム、１〜３重量部の防汚乳化剤、３〜７重量部のトリクロロヒドロキシジフェニルエーテル、４〜８重量部のドデシルベンゼンスルホン酸ナトリウム、３〜５重量部の硫酸ナトリウム、５〜１０重量部のラウロイルジエタノールアミド、３〜９重量部のクエン酸、１〜５重量部のポバール、４〜６重量部のヘキサポリグリセロールモノオクタンエーテル、１〜３重量部の炭酸ナトリウム、６〜１０重量部のスクロース脂肪酸エーテル、及び８０重量部の水によって調製される。茶渋用洗剤は、茶渋を迅速に洗浄でき、残留物が極めて少なく、人体に無害であり、発泡が少なく、洗浄が容易であるという利点を提供しようとするものである。
【０００５】
米国特許第４５３９１４５（Ａ）号は、１つ以上のポリビニルアルコールと水との混合物、又は好ましくはポリビニルアルコールと、トリメチロールメラミンなどのカチオン性ポリマーと、水と、の混合物を含む、外側窓洗浄剤に関するものであり、水が均一なシート状に流れ落ちるように、窓又は他の硬質表面を変更又は改変し、汚れ、洗浄組成物、又はその２つの組み合わせの付着に起因する残渣又は斑点を実質的に残さない。更なる実施形態では、選択されたカチオン性又は非イオン性界面活性剤を本発明の配合に添加して、すすぎにおける均一な排水効果を保持しながら洗浄性を改善する。
【０００６】
中国特許出願公開第１０４３７１８５５号は、６〜８重量部のエチルセロソルブ、３〜９重量部のグリセロール、６〜９重量部のルリジサ種子油、６〜９重量部のワセリン、０．２〜１重量部のアンモニア水、５〜８重量部の重炭酸ナトリウム、６〜８重量部のポリビニルアルコール、５〜７重量部のラウリル硫酸ナトリウム、２〜４重量部のシリコーン、５〜１０重量部のアルカノールアミド、５〜１１重量部の脂肪族アルコールポリエトキシエーテル、２〜６重量部のブタンジオール、３〜６重量部のトリエタノールアミン、４〜８重量部のココアミドプロピルベタイン、２〜６重量部の安息香酸ナトリウム、及び１〜５重量部のテトラデシルアルコールの原料から調製される、低発泡ガラス洗浄剤に関する。低発泡ガラス洗浄剤は、低泡及び低コストの利点を有し、洗浄が容易であり、洗浄プロセスにおいて特定の防曇機能を有する。
【０００７】
米国特許出願公開第２００６／０５２２６３（Ａ）号は、水と接触すると非常に迅速に溶解することができ、特定量の石鹸の正確な投与を可能にする固体石鹸調製物に関し、石鹸調製物は気泡を含有し、したがってある程度の弾性及び可塑性を示す。
【先行技術文献】
【特許文献】
【０００８】
【特許文献１】国際公開第２０１２０２２００８号
【特許文献２】国際公開第９５３３０２５号
【特許文献３】米国特許第５９６８８８８号
【特許文献４】米国特許出願公開第２００５／０１７０９９０（Ａ１）号
【特許文献５】米国特許第３６２９１２２（Ａ）号
【特許文献６】中国特許出願公開第１０７０５７８６１（Ａ）号
【特許文献７】中国特許出願公開第１０４８１８１３４（Ａ）号
【特許文献８】米国特許第４５３９１４５（Ａ）号
【特許文献９】中国特許出願公開第１０４３７１８５５号
【特許文献１０】米国特許出願公開第２００６／０５２２６３（Ａ）号
【発明の概要】
【課題を解決するための手段】
【０００９】
本発明は、食器手洗い用液体洗浄組成物であって、組成物全体の５重量％〜５０％重量％の界面活性剤系と、ポリビニルアルコールとを含み、ポリビニルアルコールが、４０％〜８６％の加水分解度を有し、ポリビニルアルコールが、０．０５重量％〜５．０重量％の濃度で存在する、食器手洗い用液体組成物に関する。
【００１０】
本発明は更に、界面活性剤系を添加する前に、ポリビニルアルコールを水性媒体に添加する工程を含む、本発明の液体洗剤組成物の製造方法に関する。
【００１１】
本発明は更に、液体洗剤組成物を使用して、食器を手洗いするための方法であって、組成物が、組成物全体の５重量％〜５０％重量の界面活性剤系と、４０％〜８６％の加水分解度を有するポリビニルアルコールとを含み、方法が、液体洗剤組成物をその未希釈形態で食器と接触させる工程を含む、方法に関する。
【発明を実施するための形態】
【００１２】
本発明の食器手洗い用液体洗浄組成物は、より濁りが少ないと同時に、洗剤組成物と汚れたプレートとの間の界面張力の低減、ひいては洗浄の改善を提供する、食器類洗浄用液体洗剤組成物を提供する。
【００１３】
定義
本明細書で使用するとき、請求項において使用される「ａ」及び「ａｎ」などの冠詞は、特許請求される又は記載されるものの１つ以上を意味すると理解される。
【００１４】
本明細書で使用するとき、用語「含む（comprising）」とは、特に言及したもの以外の工程及び成分を付加することができることを意味する。この用語は、「〜からなる（consisting of）」及び「〜から本質的になる（consisting essentially of）」という用語を包含する。本発明の組成物は、本明細書に記載される本発明の必須要素及び制限事項、並びに本明細書に記載されるあらゆる追加若しくは所望による成分、構成要素、工程、又は制限事項を含み、これらからなり、あるいは、これらから本質的になることができる。
【００１５】
本明細書で使用するとき、用語「食器類」は、非限定的な例として、セラミック、陶磁器、金属、ガラス、プラスチック（例えば、ポリエチレン、ポリプロピレン、ポリスチレンなど）及び木材から製造された調理器具及び食卓用器具を含む。
【００１６】
本明細書で使用するとき、用語「油脂」又は「油脂の」は、少なくとも部分的に（すなわち、油脂の少なくとも０．５重量％）、飽和及び不飽和の脂肪及び油、好ましくは、牛肉、豚肉、及び／又は鶏肉などの動物性原料に由来する油及び脂肪を含む物質を意味する。
【００１７】
用語「含む（include）」、「含む（includes）」、及び「含む（including）」とは、非限定的であることを意味する。
【００１８】
本明細書で使用するとき、用語「粒子状汚れ」は、無機及び特に有機の固体汚れ粒子、特に食品粒子、例えば、非限定的な例としては、超微粒子状元素炭素、焼成された油脂粒子、及び肉粒子を意味する。
【００１９】
本明細書で使用するとき、用語「泡立ちプロファイル」は、食器洗いプロセスの間の泡の性質に関する洗浄組成物の特性のことを指す。洗浄組成物の「泡立ちプロファイル」という用語は、水性洗浄液中の洗浄組成物の溶解及び撹拌、典型的には手動撹拌の際に発生する泡の体積、並びに食器洗浄プロセス中の泡の保持を含む。好ましくは、「良好な泡立ちプロファイル」を有すると特徴付けられる食器手洗い用洗浄組成物は、特に食器手洗いプロセスのかなりの部分又は全体にわたって、大きな泡体積及び／又は持続性の泡体積を有する傾向がある。これは、十分な洗浄組成物が投入されたことの指標として消費者が泡の多さを使用しているので、重要である。更に、消費者は、食器洗いプロセスの終盤に向かっていても、十分な活性洗浄成分（例えば、界面活性剤）が存在していることの指標としても、持続する泡体積を使用する。消費者は、通常、発泡が少なくなったとき、洗浄溶液を新しくする。したがって、低発泡洗浄組成物は、発泡レベルが低いことから、消費者によって必要以上に頻繁に取り替えられる傾向がある。
【００２０】
本明細書に述べられ、かつ特許請求される、出願人らによる発明のパラメータのそれぞれの値を決定するには、本出願の試験方法の項に開示される試験方法が使用されなければならない点は理解されよう。
【００２１】
本発明の全ての実施形態では、特にそうでない旨が具体的に述べられない限り、文脈から明らかであるように、全ての割合は、組成物全体の重量によるものである。特にそうでない旨が具体的に述べられない限り、全ての比は重量比であり、全ての測定は、特に指定しない限り２５℃で行われる。
【００２２】
洗浄組成物
洗浄組成物は、液体形態の食器手洗い用洗浄組成物である。当該洗浄組成物は、好ましくは、水性洗浄組成物である。したがって、当該組成物は、組成物全体の５０重量％〜８５重量％、好ましくは５０重量％〜７５重量％の水を含み得る。
【００２３】
好ましくは、本組成物のｐＨは、２０℃の蒸留水中１０％希釈で測定されるとき、約６〜約１４、好ましくは約７〜約１２、又はより好ましくは約７．５〜約１０である。組成物のｐＨは、当該技術分野において既知のｐＨ調整成分を使用して調整することができる。
【００２４】
本発明の組成物は、ニュートン流体又は非ニュートン流体とすることができ、好ましくはニュートン流体である。好ましくは、当該組成物は、１０ｍＰａ・ｓ〜１０，０００ｍＰａ・ｓ、好ましくは１００ｍＰａ・ｓ〜５，０００ｍＰａ・ｓ、より好ましくは３００ｍＰａ・ｓ〜２，０００ｍＰａ・ｓ、又は最も好ましくは５００ｍＰａ・ｓ〜１，５００ｍＰａ・ｓ、あるいはこれらの組み合わせの粘度を有する。粘度は、スピンドル３１を使用するブルックフィールドＲＴ粘度計によって、粘度計のＲＰＭを、４０％及び６０％のトルクを達成するように調整し、２０℃で測定する。
【００２５】
界面活性剤系
洗浄組成物は、組成物全体の５重量％〜５０重量％、好ましくは６重量％〜４０重量％、より好ましくは１５重量％〜３５重量％の界面活性剤系を含む。
【００２６】
改善された泡立ちのために、界面活性剤系は、アニオン性界面活性剤を含み得る。界面活性剤系は、好ましくは界面活性剤系の６０重量％〜９０重量％のアニオン性界面活性剤を含んでもよい。アルキル硫酸化アニオン性界面活性剤、特にアルキルサルフェート、アルキルアルコキシサルフェート及びこれらの混合物からなる群から選択されるものが好ましい。
【００２７】
泡立ちを更に改善するために、界面活性剤系は、３０％未満、好ましくは１５％未満、より好ましくは１０％未満の更なるアニオン性界面活性剤を含み得、最も好ましくは、界面活性剤系が更なるアニオン性界面活性剤を含まない。アルキル硫酸化アニオン性界面活性剤は、好ましくは８〜１８個、好ましくは１０〜１４個、より好ましくは１２〜１４個、最も好ましくは１２〜１３個の炭素原子の平均アルキル鎖長を有する。アルキル硫酸化アニオン性界面活性剤は、５未満、好ましくは３未満、より好ましくは０．５〜２．０、最も好ましくは０．５〜０．９の平均アルコキシル化度を有する。好ましくは、アルキル硫酸化アニオン性界面活性剤は、エトキシル化されている。すなわち、アルキル硫酸化アニオン性界面活性剤は、５未満、好ましくは３未満、より好ましくは０．５〜２．０、最も好ましくは０．５〜０．９の平均エトキシル化度を有する。
【００２８】
平均アルコキシル化度は、全てのアルキル硫酸化アニオン性界面活性剤のアルコキシル化度のモル平均（すなわち、モル平均アルコキシル化度）である。したがって、モル平均アルコキシル化度を計算するとき、非アルコキシル化サルフェートアニオン性界面活性剤のモルが含まれる。
モル平均アルコキシル化度＝（ｘ１＊界面活性剤１のアルコキシル化度＋ｘ２＊界面活性剤２のアルコキシル化度＋．．．．）／（ｘ１＋ｘ２＋．．．．）
（式中、ｘ１、ｘ２、．．．は、混合物の各アルキル（又はアルコキシ）サルフェートアニオン性界面活性剤のモル数であり、アルコキシル化度は、各アルキル硫酸化アニオン性界面活性剤中のアルコキシ基の数である）。
【００２９】
アルキル硫酸化アニオン性界面活性剤は、１０％超、好ましくは２０％超、より好ましくは３０％超、更により好ましくは３０％〜６０％、最も好ましくは３０％〜５０％の重量平均分岐度を有し得る。アルキル硫酸化アニオン性界面活性剤は、当該アルキル硫酸化アニオン性界面活性剤の少なくとも５重量％、好ましくは少なくとも１０重量％、最も好ましくは少なくとも２５重量％のＣ２位における分岐を含み得る（非アルコキシル化アルキル硫酸化アニオン性界面活性剤についてサルフェート基から炭素原子をカウントすることによって測定し、当該カウントがアルコキシル化アルキル硫酸化アニオン性界面活性剤のサルフェート基から最も遠いアルコキシ基から起算するものであるとき）。より好ましくは、分岐アルキル全体の７５重量％超、更により好ましくは９０重量％超が、Ｃ１〜Ｃ５アルキル部分、好ましくはＣ１〜Ｃ２アルキル部分からなる。前述の分岐度を有するアルキルサルフェート界面活性剤を使用して本発明の組成物を配合した結果、低温安定性が改善されることが判明した。このような組成物は、低温における良好な物理的安定性を達成するために必要な溶媒がより少ない。したがって、当該組成物は、依然として改善された低温安定性を有しながら、洗浄組成物の５．０重量％未満の有機溶媒という低濃度の有機溶媒を含み得る。界面活性剤の分岐がより多いことによっても、初期の泡発生がより速くなるが、典型的には、泡安定性が低くなる。本明細書に記載される重量平均分岐は、改善された低温安定性、初期泡発生、及び泡寿命を提供することが判明した。
【００３０】
アニオン性界面活性剤混合物の重量平均分岐度は、以下の式を用いて計算することができる。
重量平均分岐度（％）＝［（ｘ１＊アルコール１中の分岐アルコール１の重量％＋ｘ２＊アルコール２中の分岐アルコール２の重量％＋．．．．）／（ｘ１＋ｘ２＋．．．．）］＊１００
（式中、ｘ１、ｘ２、．．．は、アルキル（アルコキシ）サルフェートアニオン性界面活性剤を生成するために（アルコキシル化及び）サルフェート化の前に出発物質として用いたアルコールの全アルコール混合物中の、各アルコールの重量（グラム）である）。重量平均分岐度の計算では、分岐していないアルキル硫酸化アニオン性界面活性剤を形成するために使用されたアルキルアルコールの重量が含まれる。
【００３１】
重量平均分岐度及び分岐分布は、典型的には、界面活性剤又は構成アルキルアルコールの技術データシートから得ることができる。あるいは、分岐は、溶媒としてヘキサンを使用する、中極性キャピラリカラムにおける炎イオン化検出を伴うキャピラリガスクロマトグラフィーを含む、当該技術分野において既知の分析方法を通して決定することもできる。重量平均分岐度及び分岐分布は、アルキル硫酸化アニオン性界面活性剤を生成するために使用した出発アルコールに基づく。
【００３２】
アルキル硫酸化アニオン性界面活性剤のアルキル鎖のＣ１２及びＣ１３鎖のモル分率は、少なくとも５０％、好ましくは少なくとも６５％、より好ましくは少なくとも８０％、最も好ましくは少なくとも９０％である。アルキル鎖のＣ１３／Ｃ１２モル比が少なくとも５０／５０、好ましくは少なくとも５７／４３、好ましくは６０／４０〜９０／１０、より好ましくは６０／４０〜８０／２０、最も好ましくは６０／４０〜７０／３０であるとき、特に油脂汚れの存在下において、泡安定性が特に改善されると同時に、粒子状汚れの存在における泡安定性が損なわれることはない。
【００３３】
好適な対イオンとしては、アルカリ金属カチオン、アルカリ土類金属カチオン、アルカノールアンモニウム、又はアンモニウム若しくは置換アンモニウムが挙げられるが、好ましくはナトリウムである。
【００３４】
市販のアルキル硫酸化アニオン性界面活性剤の好適な例としては、Ｓｈｅｌｌによってブランド名Ｎｅｏｄｏｌ（登録商標）で、若しくはＳａｓｏｌによってブランド名Ｌｉａｌ（登録商標）、Ｉｓａｌｃｈｅｍ（登録商標）、及びＳａｆｏｌ（登録商標）で販売されているアルコールに由来するもの、又はＰｒｏｃｔｅｒ  ＆  Ｇａｍｂｌｅ  Ｃｈｅｍｉｃａｌｓによって製造された天然アルコールのうちのいくつかが挙げられる。供給元からの技術データシートから又は当該技術分野において既知の方法を使用した分析から得られた、出発アルコール内のＣ１３及びＣ１２の相対分率に基づいて、Ｃ１２及びＣ１３鎖の所望のモル分率及び所望のＣ１３／Ｃ１２比を実現するために、アルコールをブレンドすることができる。
【００３５】
希釈後の界面活性剤の充填を改善し、ひいては泡安定性を改善するために、当該界面活性剤系は、アルキル硫酸化アニオン性界面活性剤及び補助界面活性剤を含み得る。好ましい補助界面活性剤は、両性界面活性剤、双性界面活性剤、及びこれらの混合物からなる群から選択される。補助界面活性剤は、好ましくは、両性界面活性剤、より好ましくは、アミンオキシド界面活性剤である。補助界面活性剤は、界面活性剤系の一部として含まれる。
【００３６】
当該組成物は、好ましくは、洗浄組成物の０．１重量％〜２０重量％、より好ましくは０．５重量％〜１５重量％、特に２重量％〜１０重量％の補助界面活性剤を含む。本発明の洗浄組成物の界面活性剤系は、好ましくは、当該界面活性剤系の１０重量％〜４０重量％、好ましくは１５重量％〜３５重量％、より好ましくは２０重量％〜３０重量％の補助界面活性剤を含む。アルキル硫酸化アニオン性界面活性剤と補助界面活性剤との重量比は、１：１〜８：１、好ましくは２：１〜５：１、より好ましくは２．５：１〜４：１であり得る。
【００３７】
前述したように、アミンオキシド界面活性剤は、補助界面活性剤としての使用に好ましい。アミンオキシド界面活性剤は、直鎖状であっても分枝状であってもよいが、直鎖状が好ましい。好適な直鎖アミンオキシドは、典型的には水溶性であり、式Ｒ１−Ｎ（Ｒ２）（Ｒ３）Ｏ（式中、Ｒ１は、Ｃ８〜１８アルキルであり、Ｒ２及びＲ３部分は、Ｃ１〜３アルキル基、Ｃ１〜３ヒドロキシアルキル基、及びこれらの混合からなる群から選択される）によって特徴付けられる。例えば、Ｒ２及びＲ３は、メチル、エチル、プロピル、イソプロピル、２−ヒドロキシエチル、２−ヒドロキシプロピル、及び３−ヒドロキシプロピル、並びにこれらの混合からなる群から選択することができるが、Ｒ２及びＲ３の一方又は両方がメチルであることが好ましい。直鎖アミンオキシド系界面活性剤としては、特に、直鎖Ｃ１０〜Ｃ１８アルキルジメチルアミンオキシド及び直鎖Ｃ８〜Ｃ１２アルコキシエチルジヒドロキシエチルアミンオキシドを挙げることができる。
【００３８】
好ましくは、アミンオキシド界面活性剤は、アルキルジメチルアミンオキシド、アルキルアミドプロピルジメチルアミンオキシド、及びこれらの混合物からなる群から選択される。Ｃ８〜１８アルキルジメチルアミンオキシド、又はＣ１０〜１６アルキルジメチルアミンオキシド（ココジメチルアミンオキシドなど）などのアルキルジメチルアミンオキシドが好ましい。好適なアルキルジメチルアミンオキシドとしては、Ｃ１０アルキルジメチルアミンオキシド界面活性剤、Ｃ１０〜１２アルキルジメチルアミンオキシド界面活性剤、Ｃ１２〜Ｃ１４アルキルジメチルアミンオキシド界面活性剤、及びこれらの混合物が挙げられる。Ｃ１２〜Ｃ１４アルキルジメチルアミンオキシドが特に好ましい。
【００３９】
代替の好適なアミンオキシド界面活性剤としては、中鎖分枝状（mid-branched）アミンオキシド界面活性剤が挙げられる。本明細書で使用するとき、「中鎖分枝状」とは、アミンオキシドが、ｎ１個の炭素原子を有する１つのアルキル部分を有し、当該アルキル部分における１つのアルキル分岐がｎ２個の炭素原子を有することを意味する。アルキル分岐は、アルキル部分上で、窒素に結合したα炭素上に位置する。アミンオキシドにおけるこの種の分枝は、当該技術分野において、内部アミンオキシドとしても知られている。ｎ１とｎ２との合計は、１０〜２４個、好ましくは１２〜２０個、より好ましくは１０〜１６個の炭素原子であってよい。１つのアルキル部分と１つのアルキル分岐とが対称となるように、１つのアルキル部分の炭素原子数（ｎ１）は、好ましくは、炭素原子数が１つのアルキル分岐（ｎ２）と同じか又は類似している。本明細書で使用するとき、「対称」とは、本明細書で使用される中鎖分岐状アミンオキシドの少なくとも５０重量％、より好ましくは少なくとも７５重量％〜１００重量％において、｜ｎ１−ｎ２｜が５以下、好ましくは４、最も好ましくは０〜４の炭素原子であることを意味する。アミンオキシドは、Ｃ１〜３アルキル、Ｃ１〜３ヒドロキシアルキル基、又は平均約１つ〜約３つのエチレンオキシド基を含有するポリエチレンオキシド基から独立して選択される２つの部分を更に含む。好ましくは、２つの部分は、Ｃ１〜３アルキルから選択され、より好ましくは、いずれもＣ１アルキルとして選択される。
【００４０】
あるいは、アミンオキシド界面活性剤は、ローカットアミンオキシド及びミッドカットアミンオキシドの混合物を含む、アミンオキシドの混合物であってもよい。次いで、本発明の組成物のアミンオキシドは、
ａ）当該アミンオキシドの約１０重量％〜約４５重量％の式Ｒ１Ｒ２Ｒ３ＡＯ（式中、Ｒ１及びＲ２は、独立して、水素、Ｃ１〜Ｃ４アルキル、又はこれらの混合物から選択され、Ｒ３は、Ｃ１０アルキル及びこれらの混合物から選択される）のローカットアミンオキシドと、
ｂ）アミンオキシドの５５重量％〜９０重量％の式Ｒ４Ｒ５Ｒ６ＡＯ（式中、Ｒ４及びＲ５は、独立して、水素、Ｃ１〜Ｃ４のアルキル、又はこれらの混合物から選択され、Ｒ６は、Ｃ１２〜Ｃ１６のアルキル又はこれらの混合物から選択される）のミッドカットアミンオキシドと、を含み得る。
【００４１】
本明細書で使用するのに好ましいローカットアミンオキシドでは、Ｒ３はｎ−デシルであり、好ましくはＲ１及びＲ２の両方がメチルである。式Ｒ４Ｒ５Ｒ６ＡＯのミッドカットアミンオキシドでは、好ましくはＲ４及びＲ５の両方がメチルである。
【００４２】
好ましくはアミンオキシドは、アミンオキシドの約５重量％未満、より好ましくは３重量％未満の式Ｒ７Ｒ８Ｒ９ＡＯ（式中、Ｒ７及びＲ８は水素、Ｃ１〜Ｃ４のアルキル及びこれらの混合物から選択され、Ｒ９はＣ８のアルキル及びこれらの混合物から選択される）のアミンオキシドを含む。式Ｒ７Ｒ８Ｒ９ＡＯのアミンオキシドの量を制限することにより、物理的安定性及び泡安定性の両方が改善される。
【００４３】
好適な双性界面活性剤としては、ベタイン界面活性剤が挙げられる。このようなベタイン界面活性剤としては、アルキルベタイン、アルキルアミドベタイン、アミドアゾリニウムベタイン、スルホベタイン（ＩＮＣＩスルタイン）、並びにホスホベタインが挙げられ、好ましくは式（Ｉ）を満たす：
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−（Ｉ）
式（Ｉ）中、
Ｒ１は、飽和又は不飽和のＣ６〜２２アルキル残基、好ましくは、Ｃ８〜１８アルキル残基、より好ましくは、飽和Ｃ１０〜１６アルキル残基、最も好ましくは、飽和Ｃ１２〜１４アルキル残基からなる群から選択され、
Ｘは、ＮＨ、ＮＲ４（式中、Ｒ４は、Ｃ１〜４アルキル残基である）、Ｏ、及びＳからなる群から選択され、
ｎは、１〜１０、好ましくは２〜５、より好ましくは３の整数であり、
ｘは、０又は１、好ましくは１であり、
Ｒ２及びＲ３は、独立して、Ｃ１〜４アルキル残基、ヒドロキシエチルなどの置換されているヒドロキシ、及びこれらの混合物からなる群から選択され、好ましくは、Ｒ２及びＲ３の両方がメチルであり、
ｍは、１〜４、好ましくは１、２、又は３の整数であり、
ｙは、０又は１であり、
Ｙは、ＣＯＯ、ＳＯ３、ＯＰＯ（ＯＲ５）Ｏ、又はＰ（Ｏ）（ＯＲ５）Ｏ（式中、Ｒ５は、Ｈ又はＣ１〜４アルキル残基である）からなる群から選択される。
【００４４】
好ましいベタインは、式（Ｉａ）のアルキルベタイン、式（Ｉｂ）のアルキルアミドプロピルベタイン、式（Ｉｃ）のスルホベタイン、及び式（Ｉｄ）のアミドスルホベタインであり：
Ｒ１−Ｎ（ＣＨ３）２−ＣＨ２ＣＯＯ−      （Ｉａ）
Ｒ１−ＣＯ−ＮＨ（ＣＨ２）３−Ｎ＋（ＣＨ３）２−ＣＨ２ＣＯＯ−      （Ｉｂ）
Ｒ１−Ｎ＋（ＣＨ３）２−ＣＨ２ＣＨ（ＯＨ）ＣＨ２ＳＯ３−      （Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−      （Ｉｄ）
式中、Ｒ１は、式（Ｉ）中と同じ意味を有する。特に好ましいのは、式（Ｉａ）及び（Ｉｂ）のカルボベタイン［すなわち、式（Ｉ）中、Ｙ−はＣＯＯ−である］であり、より好ましいのは、式（Ｉｂ）のアルキルアミドベタインである。
【００４５】
好適なベタインは、カプリル／カプラミドプロピルベタイン、セチルベタイン、セチルアミドプロピルベタイン、ココアミドエチルベタイン、ココアミドプロピルベタイン、ココベタイン、デシルベタイン、デシルアミドプロピルベタイン、水素添加タローベタイン／アミドプロピルベタイン、イソステアラミドプロピルベタイン、ラウラミドプロピルベタイン、ラウリルベタイン、ミリスチルアミドプロピルベタイン、ミリスチルベタイン、オレミドプロピルベタイン、オレイルベタイン、パームアミドプロピルベタイン、パルミトアミドプロピルベタイン、パーム核アミドプロピルベタイン、ステアルアミドプロピルベタイン、ステアリルベタイン、タローアミドプロピルベタイン、タローベタイン、ウンデシレンアミドプロピルベタイン、ウンデシルベタイン、及びこれらの混合物からなる群から選択することができるか、又は［ＩＮＣＩに従って命名される］。好ましいベタインは、ココアミドプロピルベタイン、ココベタイン、ラウラミドプロピルベタイン、ラウリルベタイン、ミリスチルアミドプロピルベタイン、ミリスチルベタイン、及びこれらの混合物からなる群から選択される。ココアミドプロピルベタインが特に好ましい。
【００４６】
好ましくは、本発明の組成物の界面活性剤系は、当該界面活性剤系の１重量％〜２５重量％、好ましくは１．２５重量％〜２０重量％、より好ましくは１．５重量％〜１５重量％、最も好ましくは１．５重量％〜５重量％の非イオン性界面活性剤を更に含む。
【００４７】
好適な非イオン性界面活性剤は、アルコキシル化非イオン性界面活性剤、アルキルポリグルコシド（「ＡＰＧ」）界面活性剤、及びこれらの混合物からなる群から選択され得る。
【００４８】
好適なアルコキシル化非イオン性界面活性剤は、直鎖又は分枝鎖、一級又は二級アルキルアルコキシル化非イオン性界面活性剤であってもよい。アルキルエトキシル化非イオン性界面活性剤が好ましい。エトキシル化非イオン性界面活性剤は、アルキル鎖中に平均９〜１５個、好ましくは１０〜１４個の炭素原子を含み、かつアルコール１モル当たり平均５〜１２単位、好ましくは６〜１０単位、最も好ましくは７〜８単位のエチレンオキシドを含み得る。このようなアルキルエトキシル化非イオン性界面活性剤は、ＯＸＯ−アルコール及びＦｉｓｈｅｒ  Ｔｒｏｐｓｈアルコールなどの合成アルコール、若しくは天然由来のアルコールから、又はこれらの混合物から誘導することができる。市販のアルキルエトキシレート非イオン性界面活性剤の好適な例としては、Ｓｈｅｌｌによってブランド名Ｎｅｏｄｏｌ（登録商標）で、若しくはＳａｓｏｌによってブランド名Ｌｉａｌ（登録商標）、Ｉｓａｌｃｈｅｍ（登録商標）、及びＳａｆｏｌ（登録商標）で販売されている合成アルコールに由来するもの、又はＰｒｏｃｔｅｒ  ＆  Ｇａｍｂｌｅ  Ｃｈｅｍｉｃａｌｓによって製造された天然アルコールのうちのいくつかが挙げられる。
【００４９】
本発明の組成物は、アルキルポリグルコシド（「ＡＰＧ」）界面活性剤を含み得る。アルキルポリグルコシド界面活性剤の添加は、アルキルエトキシル化界面活性剤などの比較非イオン性界面活性剤を超えて泡立ちを改善することが判明した。好ましくは、アルキルポリグルコシド界面活性剤は、Ｃ８〜Ｃ１６アルキルポリグルコシド界面活性剤、好ましくはＣ８〜Ｃ１４アルキルポリグルコシド界面活性剤である。アルキルポリグルコシドは、好ましくは０．１〜３、より好ましくは０．５〜２．５、更により好ましくは１〜２の平均重合度を有する。最も好ましくは、アルキルポリグリコシド界面活性剤は、１０〜１６、好ましくは１０〜１４、最も好ましくは１２〜１４の平均アルキル炭素鎖長を有し、平均重合度は０．５〜２．５、好ましくは１〜２、最も好ましくは１．２〜１．６である。Ｃ８〜Ｃ１６アルキルポリグリコシドは、いくつかの供給者から市販されている（例えば、Ｓｅｐｐｉｃ  ＣｏｒｐｏｒａｔｉｏｎからのＳｉｍｕｓｏｌ（登録商標）界面活性剤；及びＢＡＳＦ  ＣｏｒｐｏｒａｔｉｏｎからのＧｌｕｃｏｐｏｎ（登録商標）６００  ＣＳＵＰ、Ｇｌｕｃｏｐｏｎ（登録商標）６５０  ＥＣ、Ｇｌｕｃｏｐｏｎ（登録商標）６００  ＣＳＵＰ／ＭＢ、並びにＧｌｕｃｏｐｏｎ（登録商標）６５０  ＥＣ／ＭＢ）。
【００５０】
ポリビニルアルコール
食器手洗い用液体組成物は、ポリビニルアルコールを含む。ポリビニルアルコールが部分的にのみ加水分解され、それによって一部のアセテート基が残存すると、改善された透明度及び洗剤組成物と汚れたプレートとの間の界面張力の低減が達成される。特に、ポリビニルアルコールは、４０％〜８６％、好ましくは４５％〜８５％、最も好ましくは７０％〜８２％の加水分解度（ｄＨ）を有する。当業者に周知のように、加水分解度はモル％として表される。ポリビニルアルコールが最大限（＞９９％）まで加水分解される場合、水素結合の形成は非常に激しくなる可能性があり、その結果、ポリビニルアルコールの溶解度の低下に加えて、溶液中に強いネットワークを形成し、それによって洗剤組成物を濁らせてしまう。このように、部分的に加水分解されたポリビニルアルコールは、典型的には、洗剤組成物中のポリビニルアルコールのより緩くかつあまり強くないネットワークを形成する。前述のポリビニルアルコールの加水分解度は、任意のポリビニルアルコール−界面活性剤複合体の分散を改善し、したがって洗剤組成物を透明に保つ一方で、界面張力の低減は、特に食器組成物が汚れた食器類に未希釈で適用されるとき、液体−水界面における界面活性を改善すると考えられる。本発明によるポリビニルアルコールの添加はまた、泡を維持し、平均気泡サイズを小さくすることに役立つ。泡の維持及び小さい気泡のサイズは、典型的には、消費者にとって製品強度が向上していることを意味する。
【００５１】
ポリビニルアルコール（ＰＶＡ）は、典型的には、ビニルアセテートモノマーを重合させ、次いで、加水分解によってアセテート基をヒドロキシル基に変えることによって製造される。ポリビニルアルコールの特性は、分子量及び置換度（加水分解）によって大きく支配される。ポリビニルアルコールの分子量を測定することの困難さにより、ポリビニルアルコールの分子量は、典型的には粘度として表される。本発明で使用されるポリビニルアルコールは、２０℃で脱塩水中４％水溶液として測定したとき、好ましくは、２．０ｍＰａ・ｓ〜１５ｍＰａ・ｓ、より好ましくは、２．５ｍＰａ・ｓ〜７．５ｍＰａ・ｓ、最も好ましくは、２．７ｍＰａ・ｓ〜３．５ｍＰａ・ｓの粘度を有する。新たに製造したポリビニルアルコール水溶液の粘度は、英国規格ＥＮ  ＩＳＯ  １５０２３−２：２００６付録Ｅブルックフィールド試験法に記載されるように、ＵＬアダプタを備えたブルックフィールドＬＶ型粘度計を使用して測定される。このような低分子量ポリビニルアルコールは、任意のポリビニルアルコール−界面活性剤複合体の分散を更に改善すると同時に、界面張力に更なる有益な効果も有すると考えられる。更に、低分子量ポリビニルアルコールは、処理が容易であり、食器手洗い用組成物の粘度上昇を制約する。
【００５２】
ポリビニルアルコールは、好ましくはホモポリマー、すなわち、ビニルアセテート及びビニルアルコール単位のみを含み、更なるモノマー又はポリマー変性を排除している。
【００５３】
ポリビニルアルコールは、好ましくは、組成物の０．０５重量％〜５．０重量％、好ましくは０．１重量％〜３．５重量％、より好ましくは０．１重量％〜２．０重量％の濃度で存在する。
【００５４】
好適なポリビニルアルコールは、クラレ、積水化学、日本合成、及び信越化学などの様々な供給元から入手可能である。好ましいポリビニルアルコールとしては、クラレにより供給されるＰｏｖａｌ（登録商標）ＬＭ３０（４５〜５１％ｄＨ）、Ｐｏｖａｌ  ３−８０（２．８〜３．３ｍ．Ｐａ・ｓ、７８．５−８１．５％ｄＨ）、Ｐｏｖａｌ（登録商標）Ｌ−５０８（６．０〜７．０ｃｐｓ、７１．５〜７３．５％ｄＨ）、Ｐｏｖａｌ（登録商標）１５−７９（１３．０〜１７．０ｃｐｓ、７９．３〜８３．７％ｄＨ）、Ｐｏｖａｌ（登録商標）５−７４（４．２〜５．０ｃｐｓ、７２．５〜７４．５％ｄＨ）、Ｐｏｖａｌ（登録商標）３−８０（２．８〜３．３ｃｐｓ、７８．５〜８１．５％ｄＨ）、Ｐｏｖａｌ（登録商標）４０−８０（４０ｍＰａ・ｓ、８０％ｄＨ）、Ｐｏｖａｌ（登録商標）３０−７５（３０ｍＰａ・ｓ、７５％ｄＨ）が挙げられる。
【００５５】
食器手洗い用液体組成物の透明性の更なる改善は、界面活性剤系を添加する前に、ポリビニルアルコールを水性組成物に添加することによって達成することができる。
【００５６】
両親媒性アルコキシル化ポリアルキレンイミン：
本発明の組成物は、組成物全体の約０．０５重量％〜約２重量％、好ましくは約０．０７重量％〜約１重量％の両親媒性ポリマーを更に含み得る。好適な両親媒性ポリマーは、両親媒性アルコキシル化ポリアルキレンイミン及びこれらの混合物からなる群から選択され得る。洗浄前に液体組成物を洗浄用具（スポンジなど）に直接添加し、その結果、ひどく油脂で汚れた表面と接触したとき、特に、軽量の予め湿らせたスポンジを使用するときなど、当該洗浄用具が少量〜ゼロの水を含むとき、両親媒性アルコキシル化ポリアルキレンイミンポリマーが、洗浄される硬質表面上のゲル形成を低減することが判明した。
【００５７】
好ましい両親媒性アルコキシル化ポリエチレンイミンポリマーは、式（ＩＩ）の一般構造を有する。
【００５８】
【化１】
2020180287.tif 000002
ポリエチレンイミン主鎖の重量平均分子量は約６００であり、式（ＩＩ）のｎは平均約１０であり、式（ＩＩ）のｍは平均約７であり、式（ＩＩ）のＲは、水素、Ｃ１〜Ｃ４アルキル、及びこれらの混合物から選択され、好ましくは水素である。式（ＩＩ）の永久四級化度は、ポリエチレンイミン主鎖窒素原子の０％〜約２２％であってもよい。この両親媒性アルコキシル化ポリエチレンイミンポリマーの分子量は、好ましくは、１０，０００〜１５，０００Ｄａである。
【００５９】
より好ましくは、当該両親媒性アルコキシル化ポリエチレンイミンポリマーは、式（ＩＩ）の一般構造を有するが、ポリエチレンイミン主鎖の重量平均分子量は約６００Ｄａであり、式（ＩＩ）のｎは平均約２４であり、式（ＩＩ）のｍは平均約１６であり、式（ＩＩ）のＲは、水素、Ｃ１〜Ｃ４アルキル、及びこれらの混合物から選択され、好ましくは水素である。式（ＩＩ）の永久四級化度は、ポリエチレンイミン主鎖窒素原子の０％〜約２２％であってよく、好ましくは０％であり得る。この両親媒性アルコキシル化ポリエチレンイミンポリマーの分子量は、好ましくは２５，０００〜３０，０００Ｄａ、最も好ましくは２８，０００Ｄａである。
【００６０】
両親媒性アルコキシル化ポリエチレンイミンポリマーは、国際公開第２００７／１３５６４５号により詳細に記載されている方法によって作製することができる。
【００６１】
環状ポリアミン
当該組成物は、洗浄を助けるアミン官能基を有する環状ポリアミンを含み得る。本発明の組成物は、好ましくは当該組成物の約０．１重量％〜約３重量％、より好ましくは約０．２重量％〜約２重量％、特に約０．５重量％〜約１重量％の環状ポリアミンを含む。
【００６２】
環状ポリアミンは、少なくとも２つの一級アミン官能基を有する。一級アミンは、環状アミン内の任意の位置に存在してよいが、油脂洗浄の観点から、一級アミンが１，３位に存在するとき、より良好な性能が得られることが見出されている。置換基のうちの１つが−ＣＨ３であり、残りがＨである環状アミンが、改善された油脂洗浄性能を提供することも見出されている。
【００６３】
したがって、本発明の洗浄組成物で使用するのに最も好ましい環状ポリアミンは、２−メチルシクロヘキサン−１，３−ジアミン、４−メチルシクロヘキサン−１，３−ジアミン、及びこれらの混合物からなる群から選択される環状ポリアミンである。これら特定の環状ポリアミンは、本発明の組成物の界面活性剤系と共に配合されたとき、食器洗浄プロセス全体を通して泡及び油脂洗浄プロファイルを改善するように働く。
【００６４】
追加成分：
本発明の組成物は、ｉ）塩、ｉｉ）ヒドロトロープ、ｉｉｉ）有機溶媒、及びそれらの混合物からなる群から選択される少なくとも１つの活性物質を更に含み得る。
【００６５】
塩：
本発明の組成物は、組成物全体の約０．０５重量％〜約２重量％、好ましくは約０．１重量％〜約１．５重量％、又はより好ましくは約０．５重量％〜約１重量％の、塩、好ましくは一価若しくは二価の無機塩、又はこれらの混合物、より好ましくは、塩化ナトリウム、硫酸ナトリウム、及びこれらの混合物から選択される塩を含み得る。塩化ナトリウムが最も好ましい。
【００６６】
ヒドロトロープ：
本発明の組成物は、組成物全体の約０．１重量％〜約１０重量％、又は好ましくは約０．５重量％〜約１０重量％、又はより好ましくは約１重量％〜約１０重量％のヒドロトープ又はその混合物、好ましくはクメンスルホン酸ナトリウムを含み得る。
【００６７】
有機溶媒：
当該組成物は、組成物全体の約０．１重量％〜約１０重量％、又は好ましくは約０．５重量％〜約１０重量％、又はより好ましくは約１重量％〜約１０重量％の有機溶媒を含み得る。好適な有機溶媒としては、アルコール、グリコール、グリコールエーテル、及びこれらの混合物、好ましくはアルコール、グリコール、及びこれらの混合物からなる群から選択される有機溶媒が挙げられる。エタノールが好ましいアルコールである。ポリアルキレングリコール、特にポリプロピレングリコールが好ましいグリコールである。
【００６８】
補助成分
当該洗浄組成物は、所望により、ビルダー（好ましくはシトレート）、キレート剤、コンディショニングポリマー、他の洗浄ポリマー、表面改質ポリマー、構造化剤、皮膚軟化剤、湿潤剤、皮膚若返り活性物質、酵素、カルボン酸、スクラブ粒子、香料、悪臭抑制剤、顔料、染料、乳白剤、真珠光沢粒子、Ｃａ／Ｍｇイオンなどのアルカリ土類金属などの無機カチオン、抗菌剤、防腐剤、粘度調整剤（例えば、ＮａＣｌ、並びに他の一価、二価、及び三価の塩などの塩）、並びにｐＨ調整剤及び緩衝手段（例えば、クエン酸などのカルボン酸、ＨＣｌ、ＮａＯＨ、ＫＯＨ、アルカノールアミン、炭酸ナトリウムなどの炭酸塩、重炭酸塩、セスキ炭酸塩など）などの多くの他の補助成分を含み得る。
【００６９】
作製方法
本発明による液体洗剤組成物を製造するための好ましい方法では、典型的には粉末として市販されているポリビニルアルコールが、界面活性剤系を添加する前に、当業者に周知の方法を使用して水性組成物に予め溶解される。ポリビニルアルコールは、通常の混合下、例えば１５℃〜８５℃の範囲の任意の好適な温度で水性組成物に添加することができるが、１５℃〜２５℃の低温が好ましい。混合物は、水溶液が視覚的に透明になるまで撹拌され、これにより、残留ポリビニルアルコール粒子がなくなる。ポリビニルアルコールの溶解を加速させるために加熱が使用される場合、水溶液は、適切な水和を確実にするために十分にゆっくりと冷却されるべきであり、したがって、洗剤組成物中で完全なポリビニルアルコール溶解が行われる。界面活性剤系を添加する前に、ポリビニルアルコールを水性組成物に添加することにより、部分的に加水分解されたポリビニルアルコールの溶解が改善されると考えられる。好ましくは、脱塩水が用いられる。好ましくは、ポリビニルアルコールは、界面活性剤系、溶媒、ヒドロトロープ、ポリマー、塩、防腐剤、香料、着色剤などの任意の他の成分を添加する前に、脱塩水に溶解される。
【００７０】
洗浄方法
本発明は更に、液体洗剤組成物を使用して、食器を手洗いするための方法であって、組成物が、４０％〜８６％の加水分解度を有するポリビニルアルコールを含み、方法が、液体洗剤組成物をその未希釈形態で食器と接触させる工程を含む、方法に関する。前述したように、本発明の組成物は、特に組成物が汚れた食器類に未希釈で適用されるとき、液体と汚れた食器類との間の界面張力を低減させる。
【００７１】
「その未希釈形態」とは、本明細書において、上記組成物が、適用される前（直前）にユーザによって有意にて希釈されることなく、処理される表面又は洗浄装置若しくは用具（ブラシ、スポンジ、不織材料、又は織布材料）に直接適用されることを意味する。「その未希釈形態」はまた、例えば、洗浄装置上の水の存在から生じるわずかな希釈、又はボトルから組成物の残りの量を除去するための消費者による水の添加を含む。したがって、その未希釈形態の組成物は、ユーザの習慣及び洗浄作業に応じて、７０：３０超、より好ましくは８０：２０超、更に好ましくは９０：１０超の範囲の比で組成物及び水を有する混合物を含む。疑念を避けるために、１００：０の比が最も好ましい。
【００７２】
上記組成物を適用する前に、汚れた食器を水浴に浸漬するか、又は流水下に保持して、食器の表面を濡らすことができる。
【００７３】
本方法は、液体洗剤組成物を食器と接触させる工程の後に、所望によるすすぎ工程を含んでもよい。
【００７４】
試験方法
本明細書に記載され、特許請求される発明がより完全に理解され得るためには、以下に記載するアッセイを用いる必要がある。
【００７５】
試験方法１：表面張力
試験溶液は、０．０５グラムの試験対象の組成物を４９．９５グラムの脱イオン水に希釈して、０．１％製品溶液を生成することによって調製される。試験溶液（２２±０．５℃）の表面張力を、温度及び湿度が制御された実験室（２２±０．５℃、−３５±５％ＲＨ）において、Ｋｒｕｓｓからの気泡圧力テンシオメータＢＰ５０を用いて測定する。機器の設定は、以下のように選択される。
−表面寿命１５ミリ秒にて開始
−表面寿命５０００ミリ秒にて停止
−平均値のための個数：１０
【００７６】
キャリブレーションは、脱イオン水で実施される。表面張力測定は、１５ミリ秒〜５秒の表面寿命にて開始される。５秒後の表面張力は、１０個の個々の測定値の平均として記録される。次いで、各試験溶液の表面張力を３回の反復で測定する。
【実施例】
【００７７】
以下の実施例は、本発明を更に例証するために与えられるものであり、本発明の範囲から逸脱することなく本発明の多くの変形が可能であることから、本発明を限定すると解釈すべきではない。
【００７８】
実施例１：アニオン性界面活性剤、非イオン性界面活性剤、及びアミンオキシド界面活性剤系を含む本発明及び比較組成物：
表１の本発明の実施例１及び２、並びに比較例Ａ〜Ｃは、アニオン性界面活性剤、非イオン性界面活性剤、及びアミンオキシドを含む。実施例のｐＨは８．９〜９．１である。加水分解度及び分子量（特に断りのない限り、２０℃の４％水溶液における粘度で表される）が異なるポリビニルアルコール（ＰＶＯＨ）を添加して、実施例を作製した。
−Ｐｏｖａｌ  ＬＭ３０：加水分解度（ｄＨ）４５〜５１ｍｏｌ％、粘度については、〜５０のｄＨを有するポリビニルアルコールが水への溶解度が４％未満のため未測定。
−Ｐｏｖａｌ  ３−８０：加水分解度（ｄＨ）７８．５〜８１．５ｍｏｌ％、２．８〜３．３ｍＰａ・ｓ
−Ｓｉｇｍａ  Ａｌｄｒｉｃｈ  ｐｏｌｙｖｉｎｙｌ  ａｌｃｏｈｏｌ  ４−９８：加水分解度（ｄＨ）９８．０〜９８．８ｍｏｌ％、４．０〜５．０ｍＰａ・ｓ
−Ｐｏｖａｌ  １８−８８：加水分解度（ｄＨ）８６．７〜８８．７ｍｏｌ％、１６．５〜１９．５ｍＰａ・ｓ
【００７９】
【表１】
2020180287.tif 000003
＊比較例
１ＢＡＳＦから入手可能な、ＭＷ６００のポリエチレンイミン主鎖、並びにそれぞれ２４の内部ＥＯ単位及び１６の末端ＰＯ単位を含むアルコキシル化鎖を有する、両親媒性アルコキシル化ポリエチレンイミン（全体のＭＷ：約２８０００）。
【００８０】
比較例Ａ〜Ｃ及び本発明の実施例１及び２の０．１％水溶液の表面張力を５秒後に測定し、表２に示した。標準偏差は、３組の反復に基づいて計算した。参照のために、５秒後の脱イオン水の表面張力は、７２．６±０．８ｍＮ／ｍであった。
【００８１】
【表２】
2020180287.tif 000004
＊＊２０℃の４％水溶液
【００８２】
上記データから分かるように、４０％〜８６％の加水分解度を有するポリビニルアルコールを含む本発明の組成物によって、表面張力が低下し、油脂乳化性が向上する。加えて、加水分解度が８５％未満のポリビニルアルコールを有する組成物は、改善された透明度を示す。
【００８３】
実施例２：アニオン性界面活性剤及びココアミドプロピルベタイン界面活性剤系を含む本発明の実施例及び比較例の組成物
表３の本発明の実施例及び比較例は、ココアミドプロピルベタインを含む。実施例のｐＨは８．９〜９．１である。加水分解度及び分子量（特に断りのない限り、２０℃の４％水溶液における粘度で表される）が異なるポリビニルアルコール（ＰＶＯＨ）を添加して、実施例を作製した。
【００８４】
【表３】
2020180287.tif 000005
【００８５】
前と同様に、実施例の０．１％水溶液の表面張力を５秒後に測定し、表４に示した。標準偏差は、３組の反復に基づいて計算した。
【００８６】
【表４】
2020180287.tif 000006
【００８７】
上記のデータから分かるように、４０％〜８６％の加水分解度を有するポリビニルアルコールからの利益は、両性（アミンオキシド）界面活性剤の代わりに双性（ベタイン）界面活性剤を含む配合物に見られる。
【００８８】
実施例３：アニオン性界面活性剤、非イオン性界面活性剤、及びアミンオキシド界面活性剤系を含む本発明及び比較組成物
表５の本発明の実施例５及び６、並びに比較例Ｇ〜Ｈは、アニオン性界面活性剤、非イオン性界面活性剤、及びアミンオキシドを含む。実施例のｐＨは８．９〜９．１である。加水分解度及び分子量（特に断りのない限り、２０℃の４％水溶液における粘度で表される）が異なるポリビニルアルコール（ＰＶＯＨ）を添加して、実施例を作製した。
【００８９】
【表５】
2020180287.tif 000007
＊比較例
【００９０】
加水分解度が４０％〜８６％のポリビニルアルコールを含む本発明の実施例（実施例５及び６）は、より高い界面活性剤濃度であっても、それらの透明性を維持していることを示す。
【００９１】
実施例４：アニオン性界面活性剤及びココアミドプロピルベタイン界面活性剤系を含む本発明の実施例及び比較例の組成物
表６の発明例７及び８、並びに比較例Ｉ〜Ｊは、アニオン性界面活性剤及びココアミドプロピルベタインを含む。混合物の最終ｐＨは８．９〜９．１である。加水分解度及び分子量（特に断りのない限り、２０℃の４％水溶液における粘度で表される）が異なるポリビニルアルコール（ＰＶＯＨ）を添加して、実施例を作製した。
【００９２】
【表６】
2020180287.tif 000008
＊比較例
１ＢＡＳＦから入手可能な、ＭＷ６００のポリエチレンイミン主鎖、並びにそれぞれ２４の内部ＥＯ単位及び１６の末端ＰＯ単位を含むアルコキシル化鎖を有する、両親媒性アルコキシル化ポリエチレンイミン（全体のＭＷ：約２８０００）。
【００９３】
加水分解度が４０％〜８６％のポリビニルアルコールを含む本発明の実施例（実施例５及び６）は、比較例Ｉ及びＪよりも透明度が改善されており、したがって、本発明で使用するポリビニルアルコールを含む組成物は、より高い界面活性剤濃度であっても、それらの透明性を維持できることを示す。
【外国語明細書】
2020180287.tif 000009
2020180287.tif 000010
2020180287.tif 000011
2020180287.tif 000012
2020180287.tif 000013
2020180287.tif 000014
2020180287.tif 000015
2020180287.tif 000016
2020180287.tif 000017
2020180287.tif 000018
2020180287.tif 000019
2020180287.tif 000020
2020180287.tif 000021
2020180287.tif 000022
2020180287.tif 000023
2020180287.tif 000024
2020180287.tif 000025
2020180287.tif 000026
2020180287.tif 000027
2020180287.tif 000028
2020180287.tif 000029
2020180287.tif 000030
2020180287.tif 000031
2020180287.tif 000032
2020180287.tif 000033